(57)【特許請求の範囲】
【請求項１】
起動時には主電源からの電力を消費する第１電力消費モードに設定され、非起動時には前記第１電力消費モードよりも消費電力が低い第２電力消費モードに設定される撮影装置であって、
予め設定された所定時間内に、撮影装置に設けられた操作部材から何らの操作がなく且つ電気的に接続された外部装置から何らの信号の入力がない場合に前記第２電力消費モードに設定するよう制御する第１モードと、前記外部装置からの前記信号の入力がある場合であっても前記所定時間内に前記操作部材から何らの操作がない場合に前記第２電力消費モードに設定するよう制御する第２モードとを有する電源制御手段と、
前記電源制御手段が前記第１モードにより制御を行うか、前記第２モードにより制御を行うかを選択的に設定する設定手段と、
を備えることを特徴とする撮影装置。
【請求項２】
前記外部装置は接続コネクタを介して着脱可能に接続されるＧＰＳ受信機であることを特徴とする請求項１に記載の撮影装置。
【請求項３】
前記電源制御手段が前記第２モードに従って前記第２電力消費モードに設定する際に、該第２電力消費モードに設定した後に前記外部装置が出力することになる前記信号に係る情報を該外部装置が備える記憶手段に記憶保持するよう指示する第１指示信号を、該外部装置に送り、
その後に前記第１電力消費モードに設定された場合に、前記記憶手段に記憶保持された情報に係る信号を出力するよう指示する第２指示信号を、該外部装置に送るようにしたことを特徴とする請求項１又は２に記載の撮影装置。
【発明の詳細な説明】
【技術分野】
【０００１】
本発明は、省電力機能を備えるカメラ等の撮影装置に関する。
【背景技術】
【０００２】
マイクロコンピュータ等を備えた電子制御式のカメラにおいては、該カメラに設けられた各種のスイッチ、ボタン等の操作や、必要に応じてカメラに接続されるケーブルレリーズ等の外部装置からの信号入力がない状態が、予め決められた所定時間以上継続した場合に、通常撮影モードから必要最小限の電力消費となるように低電力消費モードに移行させて、電力消費を抑制するための省電力機能が搭載されたものが知られている（例えば、下記特許文献１参照）。低電力消費モードから通常撮影モードへの復帰は、例えば、レリーズボタンが押下されることによりなされる。
【０００３】
また、カメラに、外部装置として、ＧＰＳ（全地球測位システム：Ｇｌｏｂａｌ  Ｐｏｓｉｔｉｏｎｉｎｇ  Ｓｙｓｔｅｍ）衛星からの信号を受信するＧＰＳ受信機を接続し、このＧＰＳ受信機から送られてくる位置情報（経度、緯度、標高、時刻等）を撮影画像とともに、撮影情報として記録できるようにしたものが知られている（例えば、下記特許文献２参照）。カメラには、ＧＰＳ受信機から、ＮＭＥＡ０１８３等の規格に従って、一定間隔毎に現在の位置情報を含む信号が入力される。なお、ＮＭＥＡは米国海洋電子機器協会（Ｎａｔｉｏｎａｌ  Ｍａｒｉｎｅ  Ｅｌｅｃｔｒｏｎｉｃｓ  Ａｓｓｏｃｉａｔｉｏｎ）が定めた規格で、ＧＰＳ受信機と当該位置情報を利用する機器との通信に使用されるプロトコルであり、ＮＭＥＡ−０１８３は、ＧＰＳ受信機と当該位置情報を利用する機器の間をシリアルポートを利用して通信するための規格である。
【０００４】
ＧＰＳ受信機からの位置情報を含むＧＰＳ信号の入力の間隔は比較的短く、例えば、１秒程度の間隔であり、一方、低電力消費モードに移行する場合の上述の所定時間は、これよりも相当に長く、数秒（４〜８秒）から数十秒程度であるのが通常である。従って、省電力機能を備えたカメラにＧＰＳ受信機が接続されると、実質的に省電力機能は作動しない状態となる。このため、ＧＰＳ受信機を接続中は、撮影等のための何らの操作がなされていない状態が継続しているにもかかわらず、低電力消費モードに移行することがなく、通常撮影モードを維持するため、カメラの消費電力を抑制することができず、電池の消耗を早めてしまうという問題があった。
【０００５】
また、カメラが低電力消費モードに入った状態下でレリーズスイッチの押下が行われた場合には、直ちに通常撮影モードに復帰して、撮影のための動作がなされることになるが、低電力消費モードでは、ＧＰＳ受信機からの位置情報を含む信号の受信が行われなくなるので、その信号を受信するためにはある程度の時間を要するので、その時点での位置情報を撮影情報として記録することができない場合があるという問題が生じる。
【０００６】
本発明は、このような点に鑑みてなされたものであり、その第１の目的とするところは、省電力機能を備えるとともに、外部装置を接続可能な撮影装置において、電力消費の確実な抑制を行うことができる装置を提供することにある。
【特許文献１】特開平７−５６２０７号公報
【特許文献２】特開２００７−３７１６８号公報
【発明の開示】
【課題を解決するための手段】
【０００７】
本発明によると、起動時には主電源からの電力を消費する第１電力消費モードに設定され、非起動時には前記第１電力消費モードよりも消費電力が低い第２電力消費モードに設定される撮影装置（ＣＭ）であって、予め設定された所定時間内に、撮影装置に設けられた操作部材から何らの操作がなく且つ電気的に接続された外部装置（１６）から何らの信号の入力がない場合に前記第２電力消費モードに設定するよう制御する第１モードと、前記外部装置から前記信号の入力がある場合であっても前記所定時間内に前記操作部材から何らの操作がない場合に前記第２電力消費モードに設定するよう制御する第２モードとを有する電源制御手段（１２，１５）と、前記電源制御手段が前記第１モードにより制御を行うか、前記第２モードにより制御を行うかを選択的に設定する設定手段（１２，１４）と、を備える撮影装置が提供される。
【０００８】
なお、この項の説明では、後述する実施形態を表す図面に示す部材等を示す符号を括弧を付して付記したが、これは単に理解の容易化のためであり、本発明の各構成要件は、これら部材等を示す符号を付した図面に示す部材等に限定されるものではない。
【発明の効果】
【０００９】
本発明では、予め設定された所定時間内に、撮影装置の操作部材から何らの操作がなく且つ電気的に接続された外部装置から何らの信号の入力がない場合に第１電力消費モードよりも消費電力が低い第２電力消費モードに設定するよう制御する第１モードと、外部装置から信号の入力がある場合であっても操作部材から所定時間内に何らの操作がない場合に第２電力消費モードに設定するよう制御する第２モードとを、選択的に設定できるようにしたので、第２電力消費モードを選択することによって電力消費の抑制を確実に実現することができるようになるという効果がある。
【発明を実施するための最良の形態】
【００１０】
以下、本発明の実施形態について、図面を参照して詳細に説明する。
【００１１】
〔第１実施形態〕
（カメラの概略構成）
図１は本発明の第１実施形態に係るデジタルカメラの概略構成を模式的に示す断面図である。このカメラは、一眼レフ方式のデジタルカメラであり、動画の撮影機能や表示機能をも備えている。但し、本発明が適用可能なカメラとしては、一眼レフ方式のデジタルカメラに限定されず、コンパクトデジタルカメラ、電子制御式のフィルムカメラ、動画を記録するビデオカメラ、その他のカメラであってもよい。また、本発明は、一般的にカメラと称呼される装置にも限定されず、撮影機能を備えるあらゆる電子装置にも適用可能である。
【００１２】
図１において、撮影レンズ１を介した被写体の像は、ミラーダウン状態にあるクイックリターンミラーＱＲＭ（図１に二点鎖線で示す）により上方に反射され、フォーカシングスクリーン（焦点板）ＦＳ、ペンタ（ダハ）プリズムＰＥＰ等を介して接眼窓ＯＷに導かれ、撮影者は接眼窓ＯＷを介して、当該被写体の像を視認可能である。
【００１３】
不図示のレリーズスイッチが押下（全押し）されると、クイックリターンミラーＱＲＭが同図で時計方向に回動して、撮影レンズ１の光路から待避され、撮影レンズ１を介した被写体の像は、シャッタＳＨＴを介して、ＣＣＤあるいはＣＭＯＳ等からなる撮像素子２の撮像面上に結像される。撮影画像は、カメラＣＭの背面に設けられた画像表示装置９に表示することもできる。
【００１４】
このカメラＣＭは、ＧＰＳ受信機１６、ケーブルレリーズやパーソナルコンピュータ（何れも不図示）等の各種の外部装置を電気的に接続するための、シリアルコネクタやＵＳＢコネクタ等の外部装置接続用コネクタＣＮを備えている。同図では、ＧＰＳ受信機１６の接続ケーブルＣＢＬの先端に設けられたコネクタ（不図示）が該外部装置接続用コネクタ（シリアルコネクタ）ＣＮに接続されている様子が示されている。
【００１５】
ＧＰＳ受信機１６は、地球上を周回する複数のＧＰＳ衛星からのその軌道と時刻データとを含む電波信号を受信し、これらに基づいて、当該ＧＰＳ受信機１６の現在位置に係る緯度、経度、標高、時刻等を含む位置情報を求め、当該位置情報を含むＧＰＳ信号を、上述したＮＭＥＡ−０１８３等の所定のプロトコルに従って、一定間隔毎に定期的に出力する装置である。
【００１６】
外部装置接続用コネクタＣＮに接続されたＧＰＳ信号受信機１６から送られる位置情報は、撮影時に、シャッタースピードや撮影日時等の撮影情報の一つとして、撮影画像とともに記録され、あるいはカメラＣＭが備える他の機能を実現するための情報として用いられる。
【００１７】
（制御系の構成）
図２は本発明の第１実施形態のデジタルカメラＣＭの制御系の構成を示すブロック図である。同図において、１は撮影レンズであり、２は撮影レンズ１を介して結像される被写体の像を電気信号に変換して出力する撮像素子である。３は撮像素子２から出力されるアナログ信号をデジタル信号に変換するＡ／Ｄ変換回路であり、４は撮像素子２に対して画像信号を取り出すためのタイミング信号を与えるタイミングジェネレータ（ＴＧ）である。５は撮像素子２で撮影され、Ａ／Ｄ変換回路３でＡ／Ｄ変換された画像データを一時的に保存するイメージメモリである。
【００１８】
６はイメージメモリ５に保存されている画像データに対して、ホワイトバランス（ＷＢ）調整、輪郭補償、ガンマ補正などの各種の画像処理を行う画像処理回路である。７は画像処理回路６で処理された画像データを、ＪＰＥＧ等の方式で圧縮処理する圧縮回路であり、８は撮影した画像やその他の情報を表示するための処理を行う表示回路である。９は表示回路８にて生成された画像等のデータや各種の設定メニュー（後述するメインセットアップメニューやＧＰＳセットアップメニュー等）を表示するためのＴＦＴなどの液晶パネルから構成される画像表示装置である。１０は画像データを一時的に保存するメモリである。これらの画像処理回路６、圧縮回路７、表示回路８、画像表示装置９、及びメモリ１０により画像処理ブロックが構成されている。
【００１９】
１１は画像データを保存する単一の又は複数の記録媒体である。記録媒体１１は、このカメラＣＭに設けられたカードスロット（不図示）に対して着脱可能に装着されるメモリーカードである。１２はこのカメラＣＭを統括的に制御するＣＰＵ（マイクロプロセッサ等）であり、１３はカメラの状態や撮影条件等の情報を表示する液晶パネル等からなる情報表示装置である。
【００２０】
１４はこのカメラＣＭに設けられた操作部材であり、主電源をオン／オフするメインスイッチ、レリーズボタン、露出モードボタン、コマンドダイヤル、メニューボタン、項目選択用十字キー、ＯＫボタン（決定ボタン）等が含まれる。レリーズボタンは、半押しすることにより、自動焦点調節を行い、全押しすることにより、撮影動作を行うための操作部材であり、後述するように、低電力消費モードから通常電力消費モードへの復帰にも用いられる。
【００２１】
１５は電源制御回路であり、このカメラＣＭを構成する各部（ＣＰＵ１２を含む電源を必要とする装置等）への電源の供給をモードに応じて選択的に制御する装置である。ＣＰＵ１２は、電源制御回路１５、操作部材１４等と協働して、後述する省電力機能としての半押しタイマー機能を行うための処理を実行する。１６はこのカメラＣＭに必要に応じて電気的に接続される外部装置の一つとしてのＧＰＳ受信機である。
【００２２】
なお、このカメラＣＭの撮影から画像保存に関する処理に関しては既知のため、ここではその説明を省略する。
【００２３】
（半押しタイマー機能）
このカメラＣＭが備える半押しタイマー機能は、基本的に、通常撮影モードにおける電力消費モードである通常電力消費モード（第１電力消費モード）で運用中に、予め設定された所定時間以上、撮影者により操作部材１４を用いて何らの操作も行われず、且つ外部装置接続用コネクタＣＮに接続された外部装置（例えば、ケーブルレリーズ）から何らの信号が入力されない場合に、通常電力消費モードよりも消費電力の低い低電力消費モード（第２電力消費モード）に移行して、電池の消耗を抑制するための省電力機能の一つである。この所定時間は、通常は数秒（４〜８秒）から数十秒程度に設定される。この所定時間は、固定した値であってもよいし、撮影者による設定操作により、複数の選択肢から選択して設定し、あるいは任意の時間に設定できるようになっていてもよい。
【００２４】
低電力消費モードから通常電力消費モードへの復帰は、この実施形態では、低電力消費モードを実行中に、撮影者がレリーズスイッチを半押しすることにより行われるようになっている。従って、低電力消費モード中でも撮影が可能となっている。即ち、低電力消費モード中に、撮影者によりレリーズスイッチの全押しがなされた場合には、全押しの過程で半押しが行われることになるので、低電力消費モードから通常電力消費モードに復帰する処理が行われた後に、撮影処理が行われ、撮像素子２で撮影された画像が記録媒体１１に記録される。なお、低電力消費モードから通常電力消費モードへの復帰は、レリーズスイッチの半押し操作とは別に、又はこれに加えて、操作部材１４の一つとして復帰専用ボタンを設けてこれを押下することにより、あるいは操作部材１４のうちの何れかが操作された場合に行われるようにしてもよい。
【００２５】
次に、外部装置接続用コネクタＣＮに、ＧＰＳ受信機１６が接続されている場合について説明する。なお、ＧＰＳ受信機１６の電源はオンされているものとする。この場合には、上述したように、ＧＰＳ受信機１６からＧＰＳ信号が一定間隔で定期的に入力されることになるため、上述した省電力機能は実質的に作動せず、低電力消費モードへの移行は行われないことになる。これにより、ＧＰＳ受信機１６を接続している状態では、省電力機能は作動せず、カメラＣＭはＧＰＳ受信機１６から送られるＧＰＳ信号を常に受信している状態であるため、撮影操作を行った場合に、ＧＰＳ信号に含まれる当該撮影時点における位置情報を確実に得ることができ、該位置情報を、シャッタースピードや日付などとともに、撮影情報として撮影画像に付加して、記録媒体１１に記録することができる。
【００２６】
このように、ＧＰＳ受信機１６が接続されている状態では、低電力消費モードへの移行はなされないので、位置情報を確実に記録できるという上述したメリットはあるものの、その一方において、通常電力消費モードにより電力消費が行われることになるから、電池の消耗は通常通りとなる。しかし、ＧＰＳ受信機１６が接続されている場合であっても、撮影者により撮影操作等が長時間全く行われない場合も考えられ、このような場合に、通常通り電池が消耗するのは、撮影しようと思ったときに、電池切れで撮影ができない等の不都合を生じるおそれがあり、好ましくない。
【００２７】
そこで、この実施形態では、ＧＰＳ受信機１６について、二つのモードを設けている。一つは、上述の通りの処理、即ちＧＰＳ受信機１６からＧＰＳ信号が定期的に入力されている場合には、通常電力消費モードから低電力消費モードへの移行は行わないＧＰＳ半押しタイマー無効モード（第１モード）、他の一つはＧＰＳ受信機１６からＧＰＳ信号が定期的に入力されている場合であっても、撮影者により所定時間以上何らの操作（操作部材１４による操作）も行われない場合には、通常電力消費モードから低電力消費モードに移行するＧＰＳ半押しタイマー有効モード（第２モード）である。これらのＧＰＳ半押しタイマー無効モードと、ＧＰＳ半押しタイマー有効モードとの何れのモードを用いるかは、状況に応じて撮影者の意思を反映するため、撮影者による設定操作に従って、変更設定できるようになっている。
【００２８】
このＧＰＳ半押しタイマー有効／無効モードの変更設定を、撮影者の操作の観点から説明する。この変更設定を行う場合には、まず、撮影者はカメラＣＭに設けられた操作部材１４としてのメニューボタンを押下する。これにより、図３に示されているように、画像表示装置９（又は情報表示装置１３）の表示画面ＳＣＲ上に、メインセットアップメニューが表示される。このメインセットアップメニューには、同図に示されているように、「ＵＳＢ設定」、「ＧＰＳ」、「電池チェック」、「ファームウェアバージョン」の４つの項目が含まれている。
【００２９】
ここで、「ＵＳＢ設定」はカメラのＵＳＢ動作を設定するための項目であり、「ＧＰＳ」はＧＰＳ半押しタイマー有効／無効モードの変更設定を行うための項目であり、「電池チェック」は電池残量や撮影コマ残数などを表示させるための項目であり、「ファームウェアバージョン」はカメラのファームウェアのバージョンを確認するための表示やファームウェアのバージョンアップを行うための項目である。但し、これらの項目は単なる例示であって、他の項目名、他の内容であってもよい。
【００３０】
次いで、撮影者は、ＧＰＳ半押しタイマー有効／無効モードの変更設定を行う場合には、操作部材１４としての項目選択用十字キー（カーソル移動キー）を操作して、このメインセットアップメニューで表示された項目のうち、「ＧＰＳ」の項目にカーソルＣＳＬを合わせ、操作部材１４としての決定キーを押下する。これにより、図４に示されているように、ＧＰＳセットアップメニューが表示画面ＳＣＲ上に表示される。このＧＰＳセットアップメニューには、「半押しタイマー有効」、「半押しタイマー無効」という二つの項目が含まれている。撮影者は、項目選択用十字キーを操作して、これらの何れかの項目にカーソルＣＳＬを合わせ、決定キーを押下することにより、選択した項目が設定される。
【００３１】
ＣＰＵ１２は、この設定内容に応じて、ＧＰＳ半押しタイマー無効モード、又はＧＰＳ半押しタイマー有効モードに係る処理を行うことになる。即ち、ＧＰＳ半押しタイマー無効モードに設定されている場合には、ＧＰＳ受信機１６からＧＰＳ信号が定期的に入力されている場合には、低電力消費モードに移行することなく、常に通常電力消費モードとなるように電源制御回路１５を制御する。これにより、ＧＰＳ受信機１６からの位置情報を確実に記録することができる。
【００３２】
一方、ＧＰＳ半押しタイマー有効モードに設定されている場合には、ＧＰＳ受信機１６からＧＰＳ信号が定期的に入力されている場合であっても、所定時間以上、操作部材１４による操作が行われない場合には、低電力消費モードに移行するように電源制御回路１５を制御する。これにより、低電力消費モードでは、ＧＰＳ受信機１６からのＧＰＳ信号は受信されていないため、低電力消費モードからレリーズスイッチを押下（全押し）した場合には、信号処理が間に合わずに、ＧＰＳ信号に含まれる位置情報を記録できない場合はあり得るが、電力消費を抑制し、電池消耗を遅くすることができる。
【００３３】
なお、上述した低電力消費モードは、通常撮影モードで作動されている全機能のうちの一部の機能以外の機能を停止させることにより、通常電力消費モードよりも電力消費量が低い状態とするモードであり、当該一部の機能は作動しているので、低いながらも電力消費はある状態である。この低電力消費モードに代えて、主電源をオン／オフするメインスイッチによるオフの状態と同じ状態にする、即ち電力消費を全く又は殆どしない状態とする電源オフモードとしてもよい。
【００３４】
〔第２実施形態〕
次に、本発明の第２実施形態について説明する。なお、図１〜図４を参照して説明した事項は、この第２実施形態でも同様であるため、その説明は省略する。上述したように、ＧＰＳ半押しタイマー有効モードにおいて、通常電力消費モードから低電力消費モードに移行した場合には、ＧＰＳ受信機１６からのＧＰＳ信号は受信されない状態となるため、低電力消費モード中には、位置情報は得られない。しかし、低電力消費モード中であっても、カメラＣＭの位置情報を後に得たい、例えば、カメラＣＭが移動した経路等を知りたいという場合もあり得る。この場合には、以下のようにするとよい。
【００３５】
即ち、図５に示されているように、ＧＰＳ受信機１６に、位置情報（経度、緯度、標高、時刻等）を記憶可能なメモリ（記憶手段）ＭＥＭを設けておき、カメラＣＭは、ＧＰＳ半押しタイマー有効モードにおいて、通常電力消費モードから低電力消費モードに移行する際に、該低電力消費モードに移行した後にＧＰＳ受信機１６が出力することになる信号に係る位置情報を、ＧＰＳ受信機１６が備えるメモリＭＥＭに蓄積保存するよう指示する位置情報記憶指示信号（第１指示信号）Ｓ１を、ＧＰＳ受信機１６に送るようにする。
【００３６】
ＧＰＳ受信機１６では、この信号を受けて、メモリＭＥＭに、当該位置情報を順次蓄積保存する。この蓄積保存は、ＧＰＳ受信機１６が備えるメモリＭＥＭの容量に応じて、全てを保存するようにしてもよいが、データ量が膨大となる場合があるため、適宜な時間間隔（例えば、１分、１０分、１時間等の間隔）で間欠的に（間引きして）、保存するようにしてもよい。また、ＧＰＳ受信機１６が備えるメモリＭＥＭの当該位置情報の保存用に割り当てられた領域の容量を越えてしまった場合には、古い位置情報から順次消去して、新しい位置情報を追加保存するようにするとよい。
【００３７】
カメラＣＭは、低電力消費モードから通常電力消費モードに復帰した場合には、ＧＰＳ受信機１６に対して、メモリＭＥＭに保存した位置情報を含む信号を一括的に出力するよう指示する位置情報出力指示信号Ｓ２を送る。ＧＰＳ受信機１６はこれに応じて、メモリＭＥＭ内の位置情報を含む信号をカメラＣＭに出力して、カメラＣＭがこれを受信し、後にこれらの位置情報を利用できるようにするため、カメラＣＭが備えるメモリに記憶保持する。
【００３８】
ＧＰＳ受信機１６にそのような位置情報の蓄積保存を行うためのメモリを設けることができない場合、あるいは上述した位置情報記憶指示信号Ｓ１や位置情報出力指示信号Ｓ２等の特殊な信号の送受信に対応していない場合には、図６に示されているように、ＧＰＳ受信機１６とカメラＣＭとの間に、メモリＭＥＭ２を有する中継装置ＲＳＡを介在させるようにするとよい。中継装置ＲＳＡは、ＧＰＳ受信機１６のケーブルＣＢＬのコネクタと同じ構成のコネクタを有するケーブルＣＢＬ２を有し、該ケーブルＣＢＬ２がカメラＣＭの外部装置接続用コネクタＣＮに接続される。また、中継装置ＲＳＡは、カメラＣＭの外部装置接続用コネクタＣＮと同じ構成のコネクタＣＮ１を備えており、ＧＰＳ受信機１６のケーブルＣＢＬは、このコネクタＣＮ２に接続される。
【００３９】
中継装置ＲＳＡは、通常は、ＧＰＳ受信機１６からの信号をそのままカメラＣＭに送り、カメラＣＭから位置情報記憶指示信号Ｓ１を受信したならば、ＧＰＳ受信機１６からの信号に含まれる位置情報を中継装置ＲＳＡが備えるメモリＭＥＭ２に蓄積保存し、カメラＣＭから位置情報出力指示信号Ｓ２を受信したならば、該メモリＭＥＭ２内に蓄積保存されている位置情報を、カメラＣＭに転送する。このような中継装置ＲＳＡを介在させることにより、ＧＰＳ受信機１６の構成を変更する必要がなく、ＧＰＳ受信機１６として汎用のものを用いることができる。
【００４０】
以上の第２の実施形態によれば、半押しタイマー有効モードを選択することによって、電力消費を抑制することができると共に、その半押しタイマー有効モード下においても、位置情報をメモリ（ＭＥＭ又はＭＥＭ２）に記憶させることができるので、撮影画像に付随させて位置情報の確実な記録も行うことができるという効果を得ることができる。
【００４１】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【００４２】
例えば、上述した実施形態では、半押しタイマー有効／無効モードに関し、外部装置としてＧＰＳ受信機が接続されている場合を例として説明したが、外部装置としてはこのようなＧＰＳ受信機に限定されず、省電力機能を実質的に作動させないような比較的に短い時間間隔で何らかの信号を出力する装置であれば本発明を適用することができる。
【図面の簡単な説明】
【００４３】
【図１】本発明の第１実施形態のカメラの概略構成を示す図である。
【図２】本発明の第１実施形態のカメラの制御系の構成を示すブロック図である。
【図３】本発明の第１実施形態のメインセットアップメニュー画面を示す図である。
【図４】本発明の第１実施形態のＧＰＳセットアップメニュー画面を示す図である。
【図５】本発明の第２実施形態を説明するための図である。
【図６】本発明の第２実施形態の改良例を説明するための図である。
【符号の説明】
【００４４】
１…撮影レンズ、２…撮像素子、６…画像処理回路、９…画像表示装置、１１…記録媒体、１２…ＣＰＵ、１４…操作部材、１５…電源制御回路、１６…ＧＰＳ受信機、ＣＭ…カメラ、ＣＮ，ＣＮ２…コネクタ、ＭＥＭ，ＭＥＭ２…メモリ、ＲＳＡ…中継装置。
【図１】
0004882889.tif 000002
【図２】
0004882889.tif 000003
【図３】
0004882889.tif 000004
【図４】
0004882889.tif 000005
【図５】
0004882889.tif 000006
【図６】
0004882889.tif 000007